(57)【要約】【課題】分析開始時刻までに装置の環境設定動作を完了させ、分析開始時刻に確実に分析を開始させること。【解決手段】自動分析装置１は、その動作環境を設定するための単位設定動作を複数組み合わせた一連の環境設定動作を分析工程に先立って行うが、制御部４の予約登録部４１は、この分析を開始する分析開始時刻や、分析開始の前に行わせる環境設定動作の動作コース等の指定を入力部６を介して受け付け、指定された動作コースの環境設定動作を構成する各単位設定動作の単位動作時間をもとに環境設定動作の環境設定時間を算出する。そして、予約登録部４１は、分析開始時刻と環境設定時間とをもとに環境設定動作の環境設定開始時刻を決定して登録する。環境設定制御部４３は、現在時刻を監視し、環境設定開始時刻となったときに指定された動作コースの環境設定動作の制御を開始する。【選択図】図２
2009036723.tif 000002
【特許請求の範囲】
【請求項１】
検体と試薬とを反応させ、反応液の特性を測定することによって前記検体を分析する自動分析装置であって、
当該自動分析装置の動作環境を設定するための単位設定動作に要する単位動作時間を記憶する単位設定動作時間記憶手段と、
前記検体の分析開始時刻の指定と、前記検体の分析を開始する前に行わせる前記単位設定動作を複数組み合わせた一連の環境設定動作の指定とを依頼する指定依頼手段と、
前記指定依頼手段による依頼に応答して指定された環境設定動作を構成する単位設定動作に要する単位動作時間をもとに、前記指定された環境設定動作に要する環境設定時間を算出する環境設定時間算出手段と、
前記指定依頼手段による依頼に応答して指定された分析開始時刻と前記算出された環境設定時間とをもとに、前記指定された環境設定動作の開始時刻を決定する環境設定開始時刻決定手段と、
前記決定された環境設定動作の開始時刻に、前記指定された環境設定動作の制御を開始して、該環境設定動作を前記指定された分析開始時刻までに完了させる分析前環境設定制御手段と、
を備えることを特徴とする自動分析装置。
【請求項２】
前記単位設定動作のうち、同時に動作可能な単位設定動作が予め定義されており、
前記環境設定時間算出手段は、前記指定された環境設定動作を構成する単位設定動作の中から同時に動作可能な単位設定動作を判定して、判定結果に従って前記環境設定時間を算出し、
前記分析前環境設定制御手段は、前記決定された環境設定動作の開始時刻に、前記同時に動作可能な単位設定動作の制御を同時に行って前記指定された環境設定動作を制御することを特徴とする請求項１に記載の自動分析装置。
【請求項３】
前記指定依頼手段は、所定の分析項目を分析するための測定の指定を依頼する分析項目指定依頼手段を有し、
前記環境設定時間算出手段は、前記分析項目指定依頼手段による依頼に応答して指定された測定のための環境設定動作に要する動作時間を加味して前記指定された環境設定動作の開始時刻を決定し、
前記分析前環境設定制御手段は、前記指定された環境設定動作に加えて前記指定された測定のための環境設定動作を制御することを特徴とする請求項１または２に記載の自動分析装置。
【請求項４】
前記指定依頼手段は、前記環境設定動作を繰り返し行わせる日付の周期の指定を依頼する周期指定依頼手段を有し、
前記分析前環境設定制御手段は、前記周期指定依頼手段による依頼に応答して指定された日付の周期で、前記決定された環境設定動作の開始時刻に前記指定された環境設定動作の制御を開始することを特徴とする請求項１〜３のいずれか一つに記載の自動分析装置。
【請求項５】
前記指定依頼手段は、前記環境設定動作を繰り返し行わせる日付の期間の指定を依頼する期間指定依頼手段を有し、
前記分析前環境設定制御手段は、前記期間指定依頼手段による依頼に応答して指定された日付の期間中、前記決定された環境設定動作の開始時刻に前記指定された環境設定動作の制御を開始することを特徴とする請求項１〜４のいずれか一つに記載の自動分析装置。
【請求項６】
前記指定依頼手段は、分析終了後に行わせる少なくとも一の単位設定動作の指定を依頼する分析後動作指定依頼手段を有し、
分析終了後に、前記分析後動作指定依頼手段による依頼に応答して指定された単位設定動作を制御する分析後環境設定制御手段を備えることを特徴とする請求項１〜５のいずれか一つに記載の自動分析装置。
【請求項７】
検体と試薬とを反応させ、反応液の特性を測定することによって前記検体を分析する自動分析装置の動作環境を設定する動作環境設定方法であって、
当該自動分析装置の動作環境を設定するための単位設定動作に要する単位動作時間を記憶する単位設定動作時間記憶ステップと、
前記検体の分析開始時刻の指定と、前記検体の分析を開始する前に行わせる前記単位設定動作を複数組み合わせた一連の環境設定動作の指定とを依頼する指定依頼ステップと、
前記指定依頼ステップによる依頼に応答して指定された環境設定動作を構成する単位設定動作に要する単位動作時間をもとに、前記指定された環境設定動作に要する環境設定時間を算出する環境設定時間算出ステップと、
前記指定依頼ステップによる依頼に応答して指定された分析開始時刻と前記算出された環境設定時間とをもとに、前記指定された環境設定動作の開始時刻を決定する環境設定開始時刻決定ステップと、
前記決定された環境設定動作の開始時刻に、前記指定された環境設定動作の制御を開始して、該環境設定動作を前記指定された分析開始時刻までに完了させる分析前環境設定制御ステップと、
を含むことを特徴とする動作環境設定方法。
【発明の詳細な説明】
【技術分野】
【０００１】
この発明は、検体と試薬とを反応させ、反応液の特性を測定することによって前記検体を分析する自動分析装置およびこの自動分析装置の動作環境を設定する動作環境設定方法に関する。
【背景技術】
【０００２】
従来から、反応容器内に血液や体液等の検体と試薬とを分注し、当該反応容器内で生じた反応を光学的に測定することによって検体の分析を行う自動分析装置が知られている。この自動分析装置では、安定した測定を行うため、検体の分析を開始する前に装置各部のクリーニング等の準備動作を行って装置の動作環境を設定する必要がある。準備動作は、例えば電源が投入されて装置を起動したときに行われる。この準備動作にかかる技術としては、例えば、予め電源を立ち上げる日時とともに、立ち上げ時に必要な準備動作を選択できるようにしたものが知られている（特許文献１参照）。
【０００３】
【特許文献１】特開平０８−３３８８４８号公報
【発明の開示】
【発明が解決しようとする課題】
【０００４】
特許文献１の技術によれば、所望の時間に装置を起動させ、必要な準備動作を行わせることができる。しかしながら、実際に分析を開始するのは準備動作の終了後であるため、オペレータは準備動作が完了するまで待機する必要があり、この間の時間が無駄である。準備動作に要する時間を予測することもできるが、複数の準備動作を行う場合には、その組み合わせに応じて準備動作の所要時間を予測しなければならず、オペレータにとって手間であり、予測を誤った場合には無駄な時間を省くことができない。また、反応容器内の汚染を考慮すれば、準備動作の後速やかに分析を開始することが望ましい。
【０００５】
この発明は、上記に鑑みて為されたものであって、分析開始時刻までに装置の環境設定動作を完了させ、分析開始時刻に確実に分析を開始させることができる自動分析装置およびその動作環境設定方法を提供することを目的とする。
【課題を解決するための手段】
【０００６】
上述した課題を解決し、目的を達成するため、この発明にかかる自動分析装置は、検体と試薬とを反応させ、反応液の特性を測定することによって前記検体を分析する自動分析装置であって、当該自動分析装置の動作環境を設定するための単位設定動作に要する単位動作時間を記憶する単位設定動作時間記憶手段と、前記検体の分析開始時刻の指定と、前記検体の分析を開始する前に行わせる前記単位設定動作を複数組み合わせた一連の環境設定動作の指定とを依頼する指定依頼手段と、前記指定依頼手段による依頼に応答して指定された環境設定動作を構成する単位設定動作に要する単位動作時間をもとに、前記指定された環境設定動作に要する環境設定時間を算出する環境設定時間算出手段と、前記指定依頼手段による依頼に応答して指定された分析開始時刻と前記算出された環境設定時間とをもとに、前記指定された環境設定動作の開始時刻を決定する環境設定開始時刻決定手段と、前記決定された環境設定動作の開始時刻に、前記指定された環境設定動作の制御を開始して、該環境設定動作を前記指定された分析開始時刻までに完了させる分析前環境設定制御手段と、を備えることを特徴とする。
【０００７】
また、この発明にかかる自動分析装置は、上記の発明において、前記単位設定動作のうち、同時に動作可能な単位設定動作が予め定義されており、前記環境設定時間算出手段は、前記指定された環境設定動作を構成する単位設定動作の中から同時に動作可能な単位設定動作を判定して、判定結果に従って前記環境設定時間を算出し、前記分析前環境設定制御手段は、前記決定された環境設定動作の開始時刻に、前記同時に動作可能な単位設定動作の制御を同時に行って前記指定された環境設定動作を制御することを特徴とする。
【０００８】
また、この発明にかかる自動分析装置は、上記の発明において、前記指定依頼手段は、所定の分析項目を分析するための測定の指定を依頼する分析項目指定依頼手段を有し、前記環境設定時間算出手段は、前記分析項目指定依頼手段による依頼に応答して指定された測定のための環境設定動作に要する動作時間を加味して前記指定された環境設定動作の開始時刻を決定し、前記分析前環境設定制御手段は、前記指定された環境設定動作に加えて前記指定された測定のための環境設定動作を制御することを特徴とする。
【０００９】
また、この発明にかかる自動分析装置は、上記の発明において、前記指定依頼手段は、前記環境設定動作を繰り返し行わせる日付の周期の指定を依頼する周期指定依頼手段を有し、前記分析前環境設定制御手段は、前記周期指定依頼手段による依頼に応答して指定された日付の周期で、前記決定された環境設定動作の開始時刻に前記指定された環境設定動作の制御を開始することを特徴とする。
【００１０】
また、この発明にかかる自動分析装置は、上記の発明において、前記指定依頼手段は、前記環境設定動作を繰り返し行わせる日付の期間の指定を依頼する期間指定依頼手段を有し、前記分析前環境設定制御手段は、前記期間指定依頼手段による依頼に応答して指定された日付の期間中、前記決定された環境設定動作の開始時刻に前記指定された環境設定動作の制御を開始することを特徴とする。
【００１１】
また、この発明にかかる自動分析装置は、上記の発明において、前記指定依頼手段は、分析終了後に行わせる少なくとも一の単位設定動作の指定を依頼する分析後動作指定依頼手段を有し、分析終了後に、前記分析後動作指定依頼手段による依頼に応答して指定された単位設定動作を制御する分析後環境設定制御手段を備えることを特徴とする。
【００１２】
また、この発明にかかる動作環境設定方法は、検体と試薬とを反応させ、反応液の特性を測定することによって前記検体を分析する自動分析装置の動作環境を設定する動作環境設定方法であって、当該自動分析装置の動作環境を設定するための単位設定動作に要する単位動作時間を記憶する単位設定動作時間記憶ステップと、前記検体の分析開始時刻の指定と、前記検体の分析を開始する前に行わせる前記単位設定動作を複数組み合わせた一連の環境設定動作の指定とを依頼する指定依頼ステップと、前記指定依頼ステップによる依頼に応答して指定された環境設定動作を構成する単位設定動作に要する単位動作時間をもとに、前記指定された環境設定動作に要する環境設定時間を算出する環境設定時間算出ステップと、前記指定依頼ステップによる依頼に応答して指定された分析開始時刻と前記算出された環境設定時間とをもとに、前記指定された環境設定動作の開始時刻を決定する環境設定開始時刻決定ステップと、前記決定された環境設定動作の開始時刻に、前記指定された環境設定動作の制御を開始して、該環境設定動作を前記指定された分析開始時刻までに完了させる分析前環境設定制御ステップと、を含むことを特徴とする。
【発明の効果】
【００１３】
この発明によれば、検体の分析開始時刻の指定と、分析を開始する前に行わせる単位設定動作を複数組み合わせた一連の環境設定動作の指定とを依頼し、指定された環境設定動作を構成する単位設定動作に要する単位動作時間をもとに、指定された環境設定動作に要する環境設定時間を算出できる。そして、指定された分析開始時刻と算出した環境設定時間とをもとに指定された環境設定動作の開始時刻を決定し、決定した環境設定動作の開始時刻に指定された環境設定動作の制御を開始することができる。したがって、環境設定動作を指定された分析開始時刻までに完了させ、分析開始時刻に確実に分析を開始させることができる。これによってオペレータは、環境設定動作が完了するまで待機する等の無駄な時間を過ごすことがなくなり、環境設定動作に要する時間を予測する必要もない。そして、環境設定動作の後速やかに分析を開始させることができる。
【発明を実施するための最良の形態】
【００１４】
以下、図面を参照し、本発明の好適な実施の形態について詳細に説明する。なお、本実施の形態により本発明が限定されるものではない。図１は、本実施の形態にかかる自動分析装置１の内部構成の一例を示す模式図であり、図２は、自動分析装置１の主要機能構成の一例を示すブロック図である。この自動分析装置１は、複数の検体の生化学的な分析を自動的に行う装置であり、分析対象の検体と試薬とを反応容器（キュベット）Ｃにそれぞれ分注し、分注した反応容器Ｃ内で生じる反応を光学的に測定する。具体的には、自動分析装置１は、検体搬送機構１１と、検体分注機構１３と、ＩＳＥ測定装置１７と、試薬庫１９と、試薬分注機構２１と、反応槽２５と、攪拌装置２７と、測光光学系２９と、洗浄装置３１とで構成された測定機構２を備える。
【００１５】
図１に示すように、検体搬送機構１１は、血液や尿等の検体を収容した複数の検体容器１２１が搭載された複数の検体ラック１２を収納する。この検体搬送機構１１は、後述する制御部４の制御のもと、図１中の矢印方向に検体ラック１２を順次移送し、検体搬送機構１１上の所定の検体吸引位置Ｐ１に検体容器１２１を搬送する。検体吸引位置Ｐ１に搬送された検体容器１２１内の検体は、検体分注機構１３によって、反応槽２５内に配列して搬送される反応容器Ｃに分注される。
【００１６】
検体分注機構１３は、鉛直方向への昇降および自身の基端部を通過する鉛直線を中心軸とする回転を自在に行うアーム１３１を備え、このアーム１３１に、検体の吸引および吐出を行うプローブが取り付けられて構成されている。この検体分注機構１３は、制御部４の制御のもと、検体搬送機構１１上の検体吸引位置Ｐ１に搬送された検体容器１２１からプローブによって検体を吸引し、反応槽２５上の検体吐出位置Ｐ２に搬送された反応容器Ｃに吸引した検体を吐出して分注を行う。検体分注機構１３のプローブは、分注終了後、プローブの移動経路上に配設された洗浄槽１５で流水・洗浄される。また、検体分注機構１３は、制御部４の制御のもと、検体搬送機構１１上の検体吸引位置Ｐ１に搬送された検体容器１２１から検体を吸引し、ＩＳＥ測定装置１７が具備する測定容器１７１に検体を吐出して分注を行う。
【００１７】
ＩＳＥ測定装置１７は、電極法によって検体中の電解質検査項目を分析する電解質分析装置であり、制御部４の制御のもと、検体分注機構１３によって測定容器１７１に分注された検体中のナトリウム，塩素，カリウム，カルシウム，無機リン等の電解質濃度（イオン濃度）を、イオン選択性電極等を用いて測定（以下、適宜「ＩＳＥ（Ion Selective Electrodes）測定」と呼ぶ。）する。このＩＳＥ測定装置１７によるＩＳＥ測定の結果は、後述する制御部４に出力される。
【００１８】
試薬庫１９は、分析項目に応じた所定の試薬をそれぞれ収容した複数の試薬容器Ｂを収納する。この試薬庫１９は、制御部４の制御のもと、不図示の駆動機構によってその中心を回転軸とした回動が自在に構成されており、所望の試薬容器Ｂを所定の試薬吸引位置Ｐ３まで搬送する。なお、試薬庫１９は、図示しない円盤状の蓋によって覆われている。また、試薬庫１９の下方には不図示の恒温槽が設けられており、内部を覆う蓋とともに、各試薬容器Ｂに収容された試薬を恒温状態に保つ保冷庫を構成している。これにより、試薬の蒸発や変性を抑制することができる。
【００１９】
試薬分注機構２１は、検体分注機構１３と同様に、試薬の吸引および吐出を行うプローブが取り付けられたアーム２１１を備える。アーム２１１は、鉛直方向への昇降および自身の基端部を通過する鉛直線を中心軸とする回転を自在に行う。この試薬分注機構２１は、制御部４の制御のもと、試薬庫１９上の試薬吸引位置Ｐ３に搬送された試薬容器Ｂからプローブによって試薬を吸引し、反応槽２５上の試薬吐出位置Ｐ４に搬送された反応容器Ｃに吸引した試薬を吐出して分注を行う。試薬分注機構２１のプローブは、分注終了後、プローブの移動経路上に配設された洗浄槽２３で流水・洗浄される。
【００２０】
反応槽２５は、それぞれ検体および試薬が分注される複数の反応容器Ｃが載置される。この反応槽２５は、制御部４の制御のもと、不図示の駆動機構によってその中心を回転軸とした回動が自在に構成されており、反応容器Ｃを、検体吐出位置Ｐ２や試薬吐出位置Ｐ４、攪拌装置２７下方の攪拌位置、測光位置Ｐ５、洗浄装置３１下方の洗浄位置の各位置に反応容器Ｃを搬送する。なお、反応槽２５は、図示しない円盤状の蓋によって覆われている。また、反応槽２５の下方には不図示の恒温槽が設けられており、内部を覆う蓋とともに、内部の温度を体温程度の温度に保温する保温槽を構成している。
【００２１】
攪拌装置２７は、不図示の攪拌棒によって攪拌位置に搬送された反応容器Ｃに分注された検体と試薬との攪拌を行い、反応を促進させる。攪拌棒は、攪拌終了後、不図示の洗浄槽で流水・洗浄される。
【００２２】
測光光学系２９は、測光位置Ｐ５に搬送された反応容器Ｃに光を照射し、反応容器Ｃ内の反応液を透過した光を受光して強度測定を行う。例えば、白色光を照射する光源２９１と、反応容器Ｃを透過した白色光を分光する分光光学系２９３と、この分光光学系２９３で分光した光を成分毎に受光する受光素子２９５とを備える。この測光光学系２９による測定結果は、制御部４に出力され、後述の分析部５において分析される。
【００２３】
洗浄装置３１は、測光光学系２９による測定が終了して装置下方の所定位置に搬送された反応容器Ｃを洗浄対象として、この反応容器Ｃ内部の反応液を吸引して排出するとともに、反応容器Ｃ内に洗浄水等の洗浄液を供給および吸引することによってその洗浄を行う。ここで洗浄された反応容器Ｃは、再び分析に使用される。
【００２４】
上記構成の自動分析装置１では、反応槽２５内を順次搬送される複数の反応容器Ｃに対し、検体分注機構１３が検体容器１２１中の検体を分注し、試薬分注機構２１が試薬容器Ｂ中の試薬を分注する。続いて、攪拌装置２７が反応容器Ｃ内の試薬と検体とを攪拌して反応させた後、測光光学系２９が反応させた状態の試料の分光強度測定を行う。そして、測定結果を分析部５が分析することで、検体の成分分析等が自動的に行われる。続いて、洗浄装置３１が測光光学系２９によって測定された反応容器Ｃの洗浄を行い、一連の分析動作が連続して繰り返し行われる。また、必要に応じて検体分注機構１３が検体容器１２１中の検体をＩＳＥ測定装置１７内の測定容器１７１に分注し、ＩＳＥ測定装置１７が測定容器１７１内に分注された検体中の電解質濃度の測定を行う。
【００２５】
また、自動分析装置１は、図２に示すように、装置を構成する各部への動作タイミングの指示やデータの転送等を行って各部の制御を行い、装置全体の動作を統括的に制御する制御部４を備える。制御部４は、マイクロコンピュータ等で構成され、装置内の適所に収められる。この制御部４は、分析部５と接続されており、測光光学系２９による測定結果やＩＳＥ測定装置１７によるＩＳＥ測定の結果を分析部５に出力する。分析部５は、測光光学系２９による測定結果をもとに検体の成分濃度等を分析し、あるいはＩＳＥ測定装置１７によるＩＳＥ測定の結果をもとに検体中の電解質検査項目を分析して、分析結果を制御部４に出力する。この制御部４は、検体数や分析項目等、分析に必要な情報を入力するためのキーボードやマウス等の入力装置で構成される入力部６や、分析結果画面や警告画面、各種設定入力のための入力画面等を表示するためのＬＣＤやＥＬＤ等の表示装置で構成される表示部７、記憶部８と接続されている。
【００２６】
また、制御部４は、分析開始時刻の予約を受け付け、自動分析装置１に行わせる環境設定動作の開始時刻を決定して登録する環境設定予約処理を行う予約登録部４１を備える。自動分析装置１は、装置の動作環境を設定するための単位設定動作を複数組み合わせた一連の環境設定動作を分析工程に先立って行うが、予約登録部４１は、この分析を開始する分析開始時刻や、分析開始の前に行わせる環境設定動作の動作コース等の指定を入力部６を介して受け付け、指定された動作コースの環境設定動作を構成する各単位設定動作に要する単位動作時間をもとに環境設定動作に要する環境設定時間を算出する。そして、予約登録部４１は、指定された分析開始時刻と算出した環境設定時間とをもとに環境設定動作の開始時刻（環境設定開始時刻）を決定して記憶部８に格納される環境設定スケジュールデータ８５に登録する。
【００２７】
また、制御部４は、環境設定スケジュールデータ８５をもとに現在時刻を監視し、環境設定開始時刻となったときに指定された動作コースの環境設定動作の制御を開始して、自動分析装置１にこの環境設定動作を行わせる環境設定制御処理を行う環境設定制御部４３を備える。この環境設定制御部４３は、ＩＳＥ測定の設定が指定されている場合には、ＩＳＥ測定装置１７に後述するＩＳＥ測定時クリーニングを行わせるための制御を加えて行う。また、分析終了後動作設定が指定されている場合には、分析工程を終えた後、指定された動作コースを構成する各単位設定動作を順次制御する。
【００２８】
記憶部８は、更新記憶可能なフラッシュメモリ等のＲＯＭやＲＡＭといった各種ＩＣメモリ、内蔵或いはデータ通信端子で接続されたハードディスク、ＣＤ−ＲＯＭ等の情報記憶媒体及びその読取装置等によって実現されるものであり、分析結果の他、自動分析装置１の動作に必要な各種プログラムや、これらプログラムの実行にかかるデータ等が格納される。また、記憶部８には、本実施の形態を実現するため、制御部４を予約登録部４１として機能させるための環境設定予約プログラム８１と、制御部４を環境設定制御部４３として機能させるための環境設定制御プログラム８２と、動作コース一覧テーブル８３と、単位動作時間データ８４と、環境設定スケジュールデータ８５とを含む。
【００２９】
動作コース一覧テーブル８３は、動作コースと、この動作コースの環境設定動作を構成する単位設定動作との対応関係を定義したデータテーブルである。図３は、動作コース一覧テーブル８３のデータ構成例を示す図である。図３に示すように、動作コース一覧テーブル８３には、動作コースと対応付けて、その環境設定動作を構成する単位設定動作の一覧が設定されている。
【００３０】
ここで、各動作コースについて説明する。「週間強化クリーニング」は、週に１回程度行うクリーニングである。「月間強化クリーニング」は、月に１回程度行うクリーニングである。「分析開始前クリーニング」は、分析の開始前に行うクリーニングであり、本クリーニングは、「週間強化クリーニング」または「月間強化クリーニング」によって代用できる。すなわち、これらのクリーニングを分析開始の前に行った場合には、再度「分析開始前クリーニング」を行う必要はない。「分析開始準備動作」は、分析を中断した場合に、再開前に行うクリーニングである。「分析開始前ウォームアップ」は、分析の開始前に行う動作である。「分析終了後クリーニング」は、分析の終了後に行うクリーニングである。「ＩＳＥ測定時クリーニング」は、検体の分析項目に電解質検査項目が含まれており、分析工程でＩＳＥ測定を行う場合に行うクリーニングである。
【００３１】
続いて、各単位設定動作について説明する。「検体プローブクリーニング」では、検体分注機構１３のプローブに洗剤液の吸引・吐出を行わせて洗剤洗浄を行い、続いて純水等の洗浄水の吸引・吐出を行わせて水洗浄を行う。「検体プローブ強化クリーニング」では、検体分注機構１３のプローブに洗剤液の吸引を行わせて所定時間漬け置きした後、この洗剤液を吐出させて洗剤洗浄し、続いて洗浄水の吸引・吐出を行わせて水洗浄を行う。「試薬プローブクリーニング」では、試薬分注機構２１のプローブに洗剤液の吸引・吐出を行わせて洗剤洗浄を行い、続いて洗浄水の吸引・吐出を行わせて水洗浄を行う。「試薬プローブ強化クリーニング」では、試薬分注機構２１のプローブに洗浄水の吸引を行わせて所定時間漬け置きした後、この洗剤液を吐出させて洗剤洗浄し、続いて洗浄水の吸引・吐出を行わせて水洗浄を行う。「攪拌装置クリーニング」では、攪拌装置２７の攪拌棒を洗剤液で洗剤洗浄した後、洗浄水で水洗浄する。「攪拌装置強化クリーニング」では、攪拌装置２７の攪拌棒を洗剤液に所定時間漬け置きして洗剤洗浄した後、洗浄水で水洗浄する。［反応槽クリーニング」では、反応槽２５内に載置される各反応容器Ｃに洗浄液を吐出・吸引して洗剤洗浄を行い、続いて洗浄水を吐出・吸引して水洗浄を行う。「反応槽強化クリーニング」では、反応槽２５内に載置される各反応容器Ｃに洗剤等の洗浄液を吐出して所定時間漬け置きした後、吸引して洗剤洗浄を行い、続いて純水等の洗浄水を吐出・吸引して水洗浄を行う。「試薬庫ウォームアップ」では、試薬庫の温度を所定の温度に調整して冷却する。「反応槽ウォームアップ」では、反応槽の温度を体温程度の温度に調整する。「反応槽キャリブレーション」では、各反応容器Ｃ内に水等のブランク試料を分注して光量を測定する。測定したブランク試料の光量は、分析部５が、測光光学系２９による測定結果をもとに反応液の吸光度を求める際に用いられる。またこのとき、得られたブランク試料の光量をもとに各反応容器Ｃの傷のチェック等を行う。「ＩＳＥ配管クリーニング」では、ＩＳＥ測定装置１７内の配管を洗浄する。「ＩＳＥ容器クリーニング」では、ＩＳＥ測定に用いる検体が分注される測定容器１７１内の洗剤洗浄および水洗浄を行う。
【００３２】
この動作コース一覧テーブル８３には、上記した予め用意される動作コースの他、オペレータの操作によって編集された動作コースが適宜追加される。例えば、ＩＳＥ測定を頻繁に行う場合に、動作コース「分析開始前クリーニング」に「ＩＳＥ配管クリーニング」および「ＩＳＥ容器クリーニング」を追加した新たな動作コースを編集するといった場合が考えられる。また、動作コースを構成する単位設定動作を変更する編集操作が為された場合には、この動作コース一覧テーブル８３の該当する動作コースと単位設定動作との対応関係が変更される。
【００３３】
単位動作時間データ８４は、各単位設定動作と対応付けて、それぞれその動作の所要時間を記憶する。なお、実際の各単位設定動作の所要時間を毎回記録しておき、変動した場合に単位動作時間データ８４を書き換える構成としてもよい。
【００３４】
環境設定スケジュールデータ８５は、予約登録処理において予約登録される環境設定動作にかかるデータを記憶する。図４は、環境設定スケジュールデータ８５のデータ構成例を示す図である。図４に示すように、予約登録部４１は、環境設定開始時刻と、分析開始時刻と、動作コースと、ＩＳＥ測定設定の指定の有無（ＯＮ／ＯＦＦ情報）と、分析終了後動作設定の指定の有無（ＯＮ／ＯＦＦ情報）および指定があった場合（ＯＮの場合）には併せて指定された動作コースとが対応付けられたデータテーブルである。環境設定制御部４３は、この環境設定スケジュールデータ８５を参照し、例えば、現在時刻がレコードＲ１０に示す環境設定開始時刻２００７年１０月２３日午前７時３０分になったときに、対応する動作コース「分析開始前クリーニング」の環境設定動作の制御を開始する。またこのとき、ＩＳＥ測定設定が「ＯＮ」であるので、環境設定制御部４３は、「ＩＳＥ測定時クリーニング」の制御を併せて行う。そして、分析開始時刻２００７年１０月２３日午前８時までにこの環境設定動作を完了させる。また、分析終了後動作設定が「ＯＮ」であるため、環境設定制御部４３は、分析の終了後、対応する動作コース「月間強化クリーニング」の環境設定動作を制御する。
【００３５】
次に、制御部４が行う処理手順について説明する。先ず、環境設定予約処理について説明する。図５は、環境設定予約処理の手順を示すフローチャートである。ここで説明する処理は、制御部４の予約登録部４１が環境設定予約プログラム８１を読み出して実行することによって実現される。
【００３６】
すなわち、予約登録部４１は、先ず、分析開始予約入力画面を表示部７に表示する制御を行い、動作環境設定の予約登録操作を受け付ける（ステップＳ１０）。
【００３７】
図６は、分析開始予約入力画面Ｗ１０の一例を示す図である。図６に示すように、分析開始予約入力画面Ｗ１０にはカレンダーＣ１０が表示され、既に登録されている分析予約スケジュールが表示される。例えば、２００７年１０月２３日には、分析開始時刻が午前８時に指定され、この分析を開始する前の環境設定動作の動作コースとして「分析開始前クリーニング」が指定された予約が登録されている。また、この分析開始予約入力画面Ｗ１０には、コース編集メニューの選択を受け付けるコース編集ボタンＢ１１や予約一括入力メニューの選択を受け付ける一括入力ボタンＢ１３、予約登録ボタンＢ１５、取り消しボタンＢ１７が配置されている。オペレータは、プルダウン（以下、「ＰＤ」と略す。）メニューＰ１１から所望の年を選択し、ＰＤメニューＰ１３から所望の月を選択してカレンダーＣ１０を切り替え、カレンダーＣ１０から所望の日付を選択して予約詳細入力のための操作を行う。また、コース編集ボタンＢ１１を押下し、コース編集のための操作を行う。また、一括入力ボタンＢ１３を押下し、予約一括入力のための操作を行う。操作内容に従って予約登録を行う場合には予約登録ボタンＢ１５を押下する。予約登録部４１は、この予約登録ボタンＢ１５の押下操作に応じて後述する環境設定開始時刻設定処理を実行する。一方、オペレータは、予約登録を取り消す場合には取り消しボタンＢ１７を押下する。
【００３８】
先ず、予約詳細入力について説明する。予約登録部４１は、分析開始予約入力画面Ｗ１０のカレンダーＣ１０上の日付の選択操作に応じて、検体の分析を開始する分析開始時刻の指定や、この分析を開始する前に行わせる環境設定動作の動作コースの指定、ＩＳＥ測定設定の指定、分析終了後動作設定の指定といった各種の指定依頼を通知する予約詳細入力画面を表示部７に表示する制御を行い、入力部６を介してこれらの指定入力を受け付ける。
【００３９】
例えば、図６のカレンダーＣ１０上で２００７年１０月２３日の予約を登録する場合を例にとって説明する。カレンダーＣ１０上で２００７年１０月２３日を選択すると、図７に示すように、設定日として当該日付が表示された予約詳細入力画面Ｗ２０が表示される。この予約詳細入力画面Ｗ２０には、分析開始時刻の選択を受け付けるＰＤメニューＰ２２１，Ｐ２３、環境設定動作の動作コースの選択を受け付けるＰＤメニューＰ２５、ＩＳＥ測定設定の指定を受け付けるチェックボックスＣＢ２１、分析終了後動作設定の指定を受け付けるチェックボックスＣＢ２３、分析終了後の環境設定動作の動作コースの選択を受け付けるＰＤメニューＰ２７等が配置されている。なお、ＰＤメニューＰ２７は、チェックボックスＣＢ２３がチェックされた場合に選択が可能となる。オペレータは、所望の分析開始時刻をＰＤメニューＰ２１，Ｐ２３の選択によって指定するとともに、この分析開始時刻に開始する分析の前に行わせる所望の環境設定動作の動作コースをＰＤメニューＰ２５の選択によって指定する。ここでＰＤメニューＰ２５の一覧から動作コースを選択すると、この動作コースの環境設定動作を構成する単位設定動作の内容が表示されるようになっている。また、オペレータは、検体のＩＳＥ測定を行う場合には、チェックボックスＣＢ２１をチェックする。また、オペレータは、分析終了後に環境設定動作を行わせたい場合には、チェックボックスＣＢ２３をチェックし、分析終了後に行わせる所望の環境設定動作の動作コースをＰＤメニューＰ２７の選択によって指定する。ここでＰＤメニューＰ２７の一覧から動作コースを選択すると、この動作コースの環境設定動作を構成する単位設定動作の内容が表示されるようになっている。分析を終了すると、各部の洗浄動作が行われるが、この分析終了後に行わせる環境設定動作の指定によれば、この分析終了後の洗浄動作とは別に、例えば週毎に行わなければならない週間強化クリーニングや月毎に行わなければならない月間強化クリーニング等を電源遮断前に行うといったことが可能となる。
【００４０】
また、この予約詳細入力画面Ｗ２０には、削除ボタンＢ２１、設定ボタンＢ２３および取り消しボタンＢ２５が配置されている。オペレータは、当該日時の予約の登録を解除（削除）する場合には削除ボタンＢ２１を押下し、この予約詳細入力画面Ｗ２０での操作内容を確定する場合には設定ボタンＢ２３を押下し、操作内容を取り消す場合には取り消しボタンＢ２５を押下する。これら各ボタンＢ２１，Ｂ２３，Ｂ２５が押下されると、図６に示した分析開始予約入力画面Ｗ１０が再び表示される。ここで、設定ボタンＢ２３の押下によって分析開始予約入力画面Ｗ１０に戻ると、図６に示すように、カレンダーＣ１０の２００７年１０月２３日の欄に操作内容が表示される。
【００４１】
次に、コース編集について説明する。予約登録部４１は、分析開始予約入力画面Ｗ１０のコース編集ボタンＢ１１の押下操作に応じて、動作コースの編集依頼を通知するコース編集画面を表示部７に表示する制御を行い、入力部６を介してこれらの指定入力を受け付ける。
【００４２】
図８は、コース編集画面Ｗ３０の一例を示す図である。このコース編集画面Ｗ３０には、動作コースの選択を受け付けるＰＤメニューＰ３１と、コース名の指定入力を受け付ける入力ボックスＩ３１とが配置されている。ＰＤメニューＰ３１から動作コースを選択すると、この動作コースの名称が入力ボックスＩ３１に入力される。また、新たに動作コースを編集する場合には、入力ボックスＩ３１にコース名を指定する。また、コース編集画面Ｗ３０には、チェックボックスによって動作コースを選択する動作コース一覧Ｌ３１と、チェックボックスによって単位設定動作を選択する単位設定動作一覧Ｌ３３とが配置されており、ＰＤメニューＰ３１から動作コースが選択されると、動作コース一覧Ｌ３１において対応する動作コースのチェックボックスがチェックされ、単位設定動作一覧Ｌ３３において対応する動作コースの環境設定動作を構成する各単位設定動作のチェックボックスがチェックされるようになっている。図８では、ＰＤメニューＰ３１で動作コース「分析開始前クリーニング」が選択されており、動作コース一覧Ｌ３１において動作コース「分析開始前クリーニング」に対応するチェックボックスＣＢ３１がチェックされ、単位設定動作一覧Ｌ３３において動作コース「分析開始前クリーニング」の単位設定動作である「検体プローブクリーニング」「試薬プローブクリーニング」「攪拌装置クリーニング」「反応槽クリーニング」に対応する各チェックボックスＣＢ３２〜ＣＢ３５がチェックされている。
【００４３】
このコース編集画面Ｗ３０において、複数の動作コースを組み合わせた動作コースの編集や、各動作コースを構成する単位設定動作の編集などを行い、所望の動作コース名の動作コースとして追加することができる。ここでの編集内容は、動作コース一覧テーブル８３に反映される。例えば、図８に示すコース編集画面Ｗ３０において「分析開始前クリーニング」と「ＩＳＥ測定時クリーニング」とを組み合わせた新たな動作コースを編集したい場合には、動作コース一覧Ｌ３１においてチェックボックスＣＢ３６を新たにチェックし、これにより自動的に単位設定動作一覧Ｌ３３のチェックボックスＣＢ３７，ＣＢ３８がチェックされたのを確認して、入力ボックスＩ３１に所望の名称を入力する。
【００４４】
また、このコース編集画面Ｗ３０には、削除ボタンＢ３１、設定ボタンＢ３３および取り消しボタンＢ３５が配置されている。オペレータは、ＰＤメニューＰ３１で選択した動作コースを削除する場合には削除ボタンＢ３１を押下し、このコース編集画面Ｗ３０での操作内容を確定する場合には設定ボタンＢ３３を押下し、操作内容を取り消す場合には取り消しボタンＢ３５を押下する。これら各ボタンＢ３１，Ｂ３３，Ｂ３５が押下されると、分析開始予約入力画面Ｗ１０（図６）が再び表示される。
【００４５】
次に、予約一括入力について説明する。予約登録部４１は、分析開始予約入力画面Ｗ１０の一括入力ボタンＢ１３の押下操作に応じて、環境設定動作の指定と併せて、指定した環境設定動作を繰り返し行わせる日付の周期の一例である曜日の指定依頼を通知する週間一括入力画面、または環境設定動作の指定と併せて、指定した環境設定動作を繰り返し行わせる日付の期間の指定依頼を通知する期間一括入力画面を表示部７に表示する制御を行い、入力部６を介して指定入力を受け付ける。なお、指定した環境設定動作を繰り返し行わせる日付の周期としては、例えば月毎等であってもよく、月毎の日付の指定を受け付ける構成としてもよい。
【００４６】
図９は、週間一括入力画面Ｗ４０の一例を示す図であり、図１０は、期間一括入力画面Ｗ６０の一例を示す図である。この週間一括入力画面Ｗ４０および期間一括入力画面Ｗ６０には、それぞれ入力方式の選択を受け付けるＰＤメニューＰ４１が配置されており、このＰＤメニューＰ４１から週間一括入力または期間一括入力を選択することによって各画面が切り替わる構成となっている。
【００４７】
週間一括入力画面Ｗ４０には、図９に示すように、週間一括入力を適用する期間の選択を受け付けるＰＤメニューＰ４２〜Ｐ４７、適用する曜日の選択を受け付けるＰＤメニューＰ４８、分析開始時刻の選択を受け付けるＰＤメニューＰ４９，Ｐ５０、分析開始前の環境設定動作の動作コースの選択を受け付けるＰＤメニューＰ５１、ＩＳＥ測定設定の指定を受け付けるチェックボックスＣＢ４１、分析終了後動作設定の指定を受け付けるチェックボックスＣＢ４３、分析終了後の環境設定動作の動作コースの選択を受け付けるＰＤメニューＰ５２等が配置され、週間一括入力によって既に予約されている環境設定動作の一覧が表示される。図９の例では、毎週火曜日〜金曜日の各曜日に環境設定動作が予約されている。オペレータは、毎週決まった曜日に同じ分析開始時刻に分析を開始したい場合には、この週間一括入力画面Ｗ４０を表示させる。そして、環境設定動作の詳細についての指定と併せて、週間一括入力の適用期間をＰＤメニューＰ４２〜Ｐ４７の選択によって指定するとともに、適用する曜日をＰＤメニューＰ４８の選択によって指定する。
【００４８】
また、この週間一括入力画面Ｗ４０には、設定ボタンＢ４１および取り消しボタンＢ４３が配置されている。オペレータは、この週間一括入力画面Ｗ４０での操作内容を確定する場合には設定ボタンＢ４１を押下し、操作内容を取り消す場合には取り消しボタンＢ４３を押下する。これら各ボタンＢ４１，Ｂ４３が押下されると、分析開始予約入力画面が再び表示される。例えば、図９の状態で設定ボタンＢ４１を押下すると、２００７年１１月２３日〜２００７年１２月２８日の期間内で、毎週月曜日に繰り返し行う週間一括入力の操作内容が確定し、分析開始予約入力画面に戻る。この操作内容は、図６に示した分析開始予約入力画面Ｗ１０のカレンダーＣ１０上に反映される。
【００４９】
一方、期間一括入力画面Ｗ６０には、図１０に示すように、期間一括入力を適用する期間の選択を受け付けるＰＤメニューＰ６２〜Ｐ６７、分析開始時刻の選択を受け付けるＰＤメニューＰ６８，Ｐ６９、分析開始前の環境設定動作の動作コースの選択を受け付けるＰＤメニューＰ７０、ＩＳＥ測定設定の指定を受け付けるチェックボックスＣＢ６１、分析終了後動作設定の指定を受け付けるチェックボックスＣＢ６３、分析終了後の環境設定動作の動作コースの選択を受け付けるＰＤメニューＰ７１等が配置されている。オペレータは、所定の期間中、毎日同じ分析開始時刻に分析を開始したい場合には、この期間一括入力画面Ｗ６０を表示させる。そして、環境設定動作の詳細についての指定と併せて、期間一括入力の適用期間をＰＤメニューＰ６２〜Ｐ６７の選択によって指定する。この際、チェックボックスＣＢ６５のチェックによって期間中から祝日を除いた予約が可能である。また、チェックボックスＣＢ６７のチェックによって期間中から土曜日を除いた予約を行うこともできる。
【００５０】
また、この期間一括入力画面Ｗ６０には、設定ボタンＢ６１および取り消しボタンＢ６３が配置されている。オペレータは、この期間一括入力画面Ｗ６０での操作内容を確定する場合には設定ボタンＢ６１を押下し、操作内容を取り消す場合には取り消しボタンＢ６３を押下する。これら各ボタンＢ６１，Ｂ６３が押下されると、分析開始予約入力画面が再び表示される。例えば、図１０の状態で設定ボタンＢ６１を押下すると、２００７年１２月１０日〜２００７年１２月２５日に繰り返し行う期間一括入力の操作内容が確定し、分析開始予約入力画面に戻る。この操作内容は、図６に示した分析開始予約入力画面Ｗ１０のカレンダーＣ１０上に反映される。
【００５１】
このようにしてオペレータは、分析開始予約入力画面からの予約詳細入力、コース編集、週間一括入力または期間一括入力の操作を行い、再び分析開始予約入力画面で予約登録ボタンを押下することにより、動作環境設定の予約登録操作を完了する。
【００５２】
図５に示すように、分析開始予約入力画面での動作環境設定の予約登録操作を受け付けると（ステップＳ２０：Ｙｅｓ）、予約登録部４１は、環境設定開始時刻決定処理を実行する（ステップＳ３０）。なお、予約登録操作がなされず（ステップＳ２０：Ｎｏ）、分析開始予約入力画面で取り消しボタンが押下されて動作環境設定の予約登録操作が取り消された場合には（ステップＳ４０：Ｙｅｓ）、本処理を終了する。予約登録操作が取り消されない場合は（ステップＳ４０：Ｎｏ）、ステップＳ２０に戻る。
【００５３】
図１１は、環境設定開始時刻決定処理の詳細な手順を示すフローチャートである。環境設定開始時刻決定処理では、予約登録部４１は、指定された分析開始時刻を取得するとともに（ステップＳ３０１）、指定された環境設定動作の動作コースを取得する（ステップＳ３０３）。
【００５４】
続いて、予約登録部４１は、動作コース一覧テーブル８３を参照してステップＳ３０３で取得した動作コースの環境設定動作を構成する各単位設定動作を特定し、単位動作時間データ８４から特定した各単位設定動作の単位動作時間を読み出す（ステップＳ３０５）。またこのとき、予約登録部４１は、ＩＳＥ測定設定が指定されている場合には、「ＩＳＥ測定時クリーニング」を構成する各単位設定動作「ＩＳＥ配管クリーニング」および「ＩＳＥ容器クリーニング」の単位動作時間を読み出す。そして、予約登録部４１は、読み出した単位設定動作をもとに同時に実行できる単位設定動作を判定する（ステップＳ３０７）。ここで、同時に実行可能な単位設定動作は予め定義されている。例えば、図３に例示した単位設定動作のうち、「検体プローブクリーニング」と「試薬プローブクリーニング」、「検体プローブ強化クリーニング」と「試薬プローブクリーニング」、「試薬庫ウォームアップ」と「反応槽ウォームアップ」はそれぞれ同時に行なうことができる。予約登録部４１は、このように予め定義される同時に実行が可能な単位設定動作を判定する。
【００５５】
続いて、予約登録部４１は、ステップＳ３０７の判定結果に従って、指定された動作コースの所要時間をもとに、指定された動作コースの環境設定動作の環境設定時間を算出する（ステップＳ３０９）。例えば、指定された動作コースが図３に例示した「週間強化クリーニング」の場合、予約登録部４１は、ステップＳ３０７で「検体プローブ強化クリーニング」および「試薬プローブ強化クリーニング」を同時に実行可能と判定する。ステップＳ３０９では、予約登録部４１は、この判定結果に従って「検体プローブ強化クリーニング」および「試薬プローブ強化クリーニング」のうちの長い方の単位動作時間（例えば「検体プローブ強化クリーニング」）と、「反応槽強化クリーニング」の単位動作時間と、「攪拌装置強化クリーニング」の単位動作時間と、「反応槽キャリブレーション」の単位動作時間との総和を求める。またこのとき、予約登録部４１は、ＩＳＥ測定設定が指定されている場合には、「ＩＳＥ測定時クリーニング」の「ＩＳＥ配管クリーニング」および「ＩＳＥ容器クリーニング」の単位動作時間を求めた総和に加算する。そして、予約登録部４１は、ステップＳ３０１で取得した分析開始時刻からステップＳ３０９で算出した環境設定時間を差し引いた時刻を環境設定開始時刻として決定する（ステップＳ３１１）。そして、予約登録部４１は、図５のステップＳ３０にリターンする。
【００５６】
続いて、図５に示すように、予約登録部４１は、決定した環境設定開始時刻と、分析開始予約入力画面からの予約登録操作によって指定された分析開始時刻と、指定された動作コースの指定と、ＩＳＥ測定設定の指定の有無と、分析終了後動作設定の指定の有無および指定があった場合には併せて指定された動作コースとを対応付けたレコードを生成し、環境設定スケジュールデータ８５に登録して（ステップＳ５０）、本処理を終了する。
【００５７】
次に、環境設定制御処理について説明する。図１２は、環境設定制御処理の手順を説明するためのフローチャートである。ここで説明する処理は、制御部４の環境設定制御部４３が環境設定制御プログラム８２を読み出して実行することによって実現される。この環境設定制御処理では、環境設定制御部４３は、分析開始前の分析前環境設定と、分析終了後の環境設定とを行う。
【００５８】
分析前環境設定では、環境設定制御部４３は、現在時刻を監視し、環境設定スケジュールデータ８５に設定されている次順の環境設定開始時刻を判定する。環境設定制御部４３は、現在時刻が環境設定開始時刻となるまで待機する（ステップＳ６０１：Ｎｏ）。そして、環境設定制御部４３は、現在時刻が環境設定開始時刻となった場合には（ステップＳ６０１：Ｙｅｓ）、対応する動作コースをもとに、動作コース一覧テーブル８３から対応する単位設定動作を読み出す（ステップＳ６０３）。そして、環境設定制御部４３は、図１１のステップＳ３０７と同様の要領で同時に実行可能な単位設定動作を判定し、各単位設定動作の実行順を決定する（ステップＳ６０５）。そして、環境設定制御部４３は、同時に実行可能な単位設定動作については同時に行わせて自動分析装置１の環境設定動作を制御し（ステップＳ６０７）、全ての単位設定動作を制御して環境設定動作を完了する（ステップＳ６０９）。これにより、オペレータが指定した分析開始時刻に指定した動作コースの環境設定動作が完了する。したがって、オペレータは、分析開始時刻から分析が開始できる。
【００５９】
分析業務（分析工程）が開始され（ステップＳ６１１）、この分析業務が終了したならば（ステップＳ６１３）、環境設定制御部４３は、分析後環境設定として、先ず、環境設定スケジュールデータ８５を参照して分析終了後動作設定の指定の有無を判定する。そして、環境設定制御部４３は、分析終了後動作設定が指定されている場合には（ステップＳ６１５：Ｙｅｓ）、その動作コースをもとに、動作コース一覧テーブル８３から対応する単位設定動作を読み出し、各単位設定動作の制御を行う（ステップＳ６１７）。なおこのとき、ステップＳ６０５の処理と同様にして同時に実行可能な単位設定動作を判定し、各単位設定動作の実行順を決定した上で、実行順に従って各単位設定動作の制御を行うこととしてもよい。また、環境設定制御部４３は、分析終了後動作設定が指定されていない場合には（ステップＳ６１５：Ｎｏ）、ステップＳ６１９に移行する。
【００６０】
全ての単位設定動作を制御して環境設定動作を完了したならば、環境設定制御部４３は、環境設定スケジュールデータ８５を参照して次順の環境設定開始時刻に対応する分析開始時刻を読み出し、読み出した分析開始時刻を表示した次回設定確認画面を表示部７に表示する制御を行う（ステップＳ６１９）。図１３は、次回設定確認画面Ｗ８０の一例を示す図である。この次回設定確認画面Ｗ８０には、次の分析開始時刻を報知するメッセージが表示されるとともに、ＯＫボタンＢ８１、変更ボタンＢ８３、削除ボタンＢ８５が配置されている。オペレータは、ＯＫボタンＢ８１を押下して確認する。あるいは変更ボタンＢ８３を押下して分析開始予約入力画面を表示させ、登録内容を変更する。あるいは削除ボタンＢ８５を押下してこの予約の登録を解除する。なお、次回設定確認画面Ｗ８０を表示させてから操作がされないまま所定時間が経過した場合に、ＯＫボタンＢ８１が押下され、確認操作がなされたものとして処理してもよい。
【００６１】
以上説明したように、本実施の形態によれば、指定された動作コースの環境設定動作を構成する単位設定動作の組み合わせをもとに、同時に実行可能な単位設定動作を判定し、その環境設定時間を算出することができる。また、検体の分析項目に電解質検査項目が含まれている場合に行うＩＳＥ測定設定が指定された場合には、ＩＳＥ測定のための環境設定動作に要する環境設定時間を加算することができる。そして、指定された分析開始時刻と求めた環境設定時間とをもとに環境設定動作を開始する時刻を決定し、この時刻に環境設定動作の制御を開始することができる。したがって、オペレータは、分析開始時刻と環境設定動作とを指定しておくことで、指定した環境設定動作を分析開始時刻までに完了させ、分析開始時刻に確実に分析を開始させることができるので、環境設定動作が完了するまで待機する等の無駄な時間を過ごすことがなくなり、環境設定動作に要する時間を予測する必要もない。そして、環境設定動作の後速やかに分析を開始させることができる。
【００６２】
なお、本発明の自動分析装置は、生化学分析を行う装置に限らず、検体の輸血検査や、免疫学的検査等の分析を行う自動分析装置にも同様に適用可能である。ここで、検体の輸血検査を行う装置は、上記した実施の形態の自動分析装置１の測光光学系２９にかえてＣＣＤカメラ等の撮像部を具備した装置であり、抗原抗体反応によって反応容器内に形成された凝集反応パターンを撮像し、この凝集反応パターン（画像情報）を解析することによって分析を行う。一方、検体の免疫学的検査を行う装置は、上記した実施の形態の自動分析装置１の測光光学系２９にかえて反応液から放射される蛍光を検出する検出部を具備した装置であり、反応容器内に標識物質として蛍光物質を加え、抗体と蛍光物質との反応によって生成・放射される蛍光の測光結果をもとに抗原抗体反応の分析を行う。
【図面の簡単な説明】
【００６３】
【図１】自動分析装置の内部構成の一例を示す模式図である。
【図２】自動分析装置の主要機能構成の一例を示すブロック図である。
【図３】動作コース一覧テーブルのデータ構成例を示す図である。
【図４】動作環境設定スケジュールデータのデータ構成例を示す図である。
【図５】環境設定予約処理の手順を示すフローチャートである。
【図６】分析開始予約入力画面の一例を示す図である。
【図７】予約詳細入力画面の一例を示す図である。
【図８】コース編集画面の一例を示す図である。
【図９】週間一括入力画面の一例を示す図である。
【図１０】期間一括入力画面の一例を示す図である。
【図１１】環境設定開始時刻決定処理の詳細な手順を示すフローチャートである。
【図１２】環境設定制御処理の手順を説明するためのフローチャートである。
【図１３】次回設定確認画面の一例を示す図である。
【符号の説明】
【００６４】
１        自動分析装置
２        測定機構
１１      検体搬送機構
１３      検体分注機構
１７      ＩＳＥ測定装置
１９      試薬庫
２１      試薬分注機構
２５      反応槽
２７      攪拌装置
２９      測光光学系
３１      洗浄装置
４        制御部
４１      予約登録部
４３      環境設定制御部
５        分析部
６        入力部
７        表示部
８        記憶部
８１      環境設定予約プログラム
８２      環境設定制御プログラム
８３      動作コース一覧テーブル
８４      単位動作時間データ
８５      環境設定スケジュールデータ
１２      検体ラック
１２１    検体容器
１７１    測定容器
Ｂ        試薬容器
Ｃ        反応容器
【図１】
2009036723.tif 000003
【図２】
2009036723.tif 000004
【図３】
2009036723.tif 000005
【図４】
2009036723.tif 000006
【図５】
2009036723.tif 000007
【図６】
2009036723.tif 000008
【図７】
2009036723.tif 000009
【図８】
2009036723.tif 000010
【図９】
2009036723.tif 000011
【図１０】
2009036723.tif 000012
【図１１】
2009036723.tif 000013
【図１２】
2009036723.tif 000014
【図１３】
2009036723.tif 000015